(57)【要約】  バッテリーハウジングが開示される。本発明の一実施例によるバッテリーハウジングは、バッテリーを収容するバッテリーハウジングであって、相互結合してバッテリーが収容される空間を形成する複数のカバーを含み、複数のカバーのいずれか一つの第１カバーと、第１カバーに隣接して配置されて第１カバーに結合する第２カバーと、第１カバーと第２カバーとを結合する結合棒と、を含む。
2020532059.tif 000002
【特許請求の範囲】
【請求項１】
バッテリーを収容するバッテリーハウジングであって、
相互結合してバッテリーが収容される空間を形成する複数のカバーを含み、
前記複数のカバーのいずれか一つの第１カバーと、
前記第１カバーに隣接して配置されて前記第１カバーに結合する第２カバーと、
前記第１カバーと前記第２カバーとを結合する結合棒と、を含む、バッテリーハウジング。
【請求項２】
前記第１カバーには、前記結合棒の一端が挿入される少なくとも一つの第１挿入孔が形成され、前記第２カバーには、前記結合棒の他端が挿入される少なくとも一つの第２挿入孔が形成されたことを特徴とする、請求項１に記載のバッテリーハウジング。
【請求項３】
前記第１カバー及び前記第２カバーに前記結合棒を結合できるように、前記第１挿入孔及び前記第２挿入孔に粘着剤が注入されたことを特徴とする請求項２に記載のバッテリーハウジング。
【請求項４】
前記第１カバーには、前記第２カバーが据え付けられる据付け溝が形成され、前記第１挿入孔は、前記据付け溝の内部に形成されたことを特徴とする請求項２又は３に記載のバッテリーハウジング。
【請求項５】
前記第１カバーの前記据付け溝に据え付けられるように、前記第２カバーには、端部から突出する突出部が形成され、前記第２挿入孔は、前記突出部に形成されたことを特徴とする請求項４に記載のバッテリーハウジング。
【請求項６】
前記第２カバーは、エンドプレートを含み、
前記突出部は、前記エンドプレートから折り曲げられて形成されたことを特徴とする請求項５に記載のバッテリーハウジング。
【請求項７】
前記第１挿入孔及び前記第２挿入孔の少なくとも一つには、収容溝が形成されたことを特徴とする請求項２から請求項６のいずれか一項に記載のバッテリーハウジング。
【請求項８】
前記収容溝は、螺旋状に形成されたことを特徴とする請求項７に記載のバッテリーハウジング。
【請求項９】
請求項１から請求項８のいずれか一項に記載のバッテリーハウジングと、
前記バッテリーハウジングに収容されるバッテリーセル積層体と、を含む、バッテリーモジュール。
【請求項１０】
請求項１から請求項８のいずれか一項に記載のバッテリーハウジングと、
前記バッテリーハウジングに収容されるバッテリーモジュールと、を含む、バッテリーパック。
【発明の詳細な説明】
【技術分野】
【０００１】
本発明は、バッテリーハウジング及びこれを含むバッテリーモジュールに関し、より詳しくは、製作が簡便であり、製作時における熱損傷を防止し、また、剛性が補強できるバッテリーハウジング及びこれを含むバッテリーモジュールに関する。
【０００２】
本出願は、２０１８年５月２５日出願の韓国特許出願第１０−２０１８−００５９８０４号及び２０１９年２月１４日出願の韓国特許出願第１０−２０１９−００１７３２１号に基づく優先権を主張し、該当出願の明細書及び図面に開示された内容は、すべて本出願に組み込まれる。
【背景技術】
【０００３】
モバイル機器に関する技術開発及び需要が増加するにつれ、エネルギー源としての二次電池の需要が急激に増加しつつあり、従来、二次電池としてニッケルカドミウム電池または水素イオン電池が用いられていたが、最近は、ニッケル系の二次電池に比べてメモリー効果がほとんど起こらないため充電及び放電が自由であり、自己放電率が非常に低く、エネルギー密度が高いリチウム二次電池が広く用いられている。
【０００４】
このようなリチウム二次電池は、主にリチウム系酸化物と炭素材をそれぞれ正極活物質と負極活物質として使用する。リチウム二次電池は、このような正極活物質及び負極活物質がそれぞれ塗布された正極板及び負極板がセパレータを挟んで配置された電極組立体と、電極組立体を電解液とともに封止して収納する外装材、即ち、電池ケースと、を備える。
【０００５】
リチウム二次電池は、正極、負極及びこれらの間に介されるセパレータ及び電解質で構成され、正極活物質及び負極活物質に何を使用するかによって、リチウムイオン電池（Ｌｉｔｈｉｕｍ  Ｉｏｎ  Ｂａｔｔｅｒｙ，ＬＩＢ）、リチウムポリマー電池（Ｐｏｌｙｍｅｒ  Ｌｉｔｈｉｕｍ  Ｉｏｎ  Ｂａｔｔｅｒｙ，ＰＬＩＢ）などに分けられる。通常、これらのリチウム二次電池の電極は、アルミニウムまたは銅シート、メッシュ、フィルム、ホイルなどの集電体に、正極または負極活物質を塗布した後、乾燥することで形成される。
【０００６】
従来、二次電池を保護するためのバッテリーハウジングは、レーザー溶接のような多様な方式の溶接によって接合して製作された。即ち、複数の部材が重ね溶接または突き合わせ溶接によって相互接合されることでバッテリーハウジングが製作された。しかし、溶接によってバッテリーハウジングを製作する場合、溶接時に発生する熱によってバッテリーハウジングの内部に配置されたバッテリーセルまたは周辺部品が損傷または変形される恐れがあり、溶接区間が長くなるほど熱の累積による部材の変形によって溶接性が低下するという問題点がある。
【発明の概要】
【発明が解決しようとする課題】
【０００７】
本発明は、上記問題点に鑑みてなされたものであり、内部に配置されたバッテリーセルまたは周辺部品の損傷を防止できるバッテリーハウジング及びこれを含むバッテリーモジュールを提供することを目的とする。
【０００８】
また、本発明は、接合が容易であり、かつ剛性が増大できるバッテリーハウジング及びこれを含むバッテリーモジュールを提供することを他の目的とする。
【課題を解決するための手段】
【０００９】
上記の課題を達成するため、本発明の一面によれば、バッテリーを収容するバッテリーハウジングであって、相互結合してバッテリーが収容される空間を形成する複数のカバーを含み、前記複数のカバーのいずれか一つの第１カバーと、前記第１カバーに隣接して配置されて前記第１カバーに結合する第２カバーと、前記第１カバーと前記第２カバーとを結合する結合棒と、を含む、バッテリーハウジングを提供することができる。
【００１０】
また、前記第１カバーには、前記結合棒の一端が挿入される少なくとも一つの第１挿入孔が形成され、前記第２カバーには、前記結合棒の他端が挿入される少なくとも一つの第２挿入孔が形成され得る。
【００１１】
そして、前記第１カバー及び前記第２カバーに前記結合棒を結合できるように、前記第１挿入孔及び前記第２挿入孔に粘着剤が注入され得る。
【００１２】
また、前記第１カバーには、前記第２カバーが据え付けられる据付け溝が形成され、前記第１挿入孔は、前記据付け溝の内部に形成され得る。
【００１３】
そして、前記第１カバーの据付け溝に据え付けられるように、前記第２カバーには、端部から突出する突出部が形成され、前記第２挿入孔は、前記突出部に形成され得る。
【００１４】
また、前記第２カバーは、エンドプレートを含み、前記突出部は、前記エンドプレートから折り曲げられて形成され得る。
【００１５】
そして、前記第１挿入孔及び前記第２挿入孔の少なくとも一つには、収容溝が形成され得る。
【００１６】
また、前記収容溝は、螺旋状に形成され得る。
【００１７】
なお、本発明の他面によれば、前述のバッテリーハウジングと、前記バッテリーハウジングに収容されるバッテリーセル積層体と、を含む、バッテリーモジュールが提供される。
【００１８】
さらに、本発明のさらに他面によれば、前述のバッテリーハウジングと、前記バッテリーハウジングに収容されるバッテリーモジュールと、を含む、バッテリーパックが提供される。
【発明の効果】
【００１９】
本発明の実施例によれば、結合棒を介してカバーを接合するため、カバーの接合時に熱が発生せず、これによって、バッテリーハウジングの内部に配置されたバッテリーセルまたは周辺部品の損傷が防止される。
【００２０】
また、カバーの内部に結合棒が挿入されるため、カバーの接合が容易であり、かつ剛性が増大する。
【図面の簡単な説明】
【００２１】
【図１】本発明の一実施例によるバッテリーハウジングの全体斜視図である。
【図２】本発明の一実施例によるバッテリーハウジングにおいて、第１カバーと第２カバーとが分離した様子を示した部分斜視図である。
【図３】本発明の一実施例によるバッテリーハウジングにおいて、第１カバーと第２カバーとが結合棒によって結合する過程を示した断面図である。
【図４】本発明の一実施例によるバッテリーハウジングにおいて、第１カバーと第２カバーとが結合棒によって結合する過程を示した断面図である。
【図５】本発明の一実施例によるバッテリーハウジングにおいて、第１カバーと第２カバーとが結合棒によって結合する過程を示した断面図である。
【図６】本発明の一実施例によるバッテリーハウジングにおいて、第１カバーと第２カバーとが結合棒によって結合する過程を示した断面図である。
【図７】本発明の他の実施例によるバッテリーハウジングにおいて、第１カバーと第２カバーとが結合棒によって結合する過程を示した断面図である。
【図８】本発明の他の実施例によるバッテリーハウジングにおいて、第１カバーと第２カバーとが結合棒によって結合する過程を示した断面図である。
【図９】本発明の他の実施例によるバッテリーハウジングにおいて、第１カバーと第２カバーとが結合棒によって結合する過程を示した断面図である。
【図１０】本発明の他の実施例によるバッテリーハウジングにおいて、第１カバーと第２カバーとが結合棒によって結合する過程を示した断面図である。
【発明を実施するための形態】
【００２２】
以下、添付された図面を参照して本発明の望ましい実施例を詳しく説明する。これに先立ち、本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。
【００２３】
図面における各構成要素またはその構成要素をなす特定部分の大きさは、説明の便宜及び明確性のために誇張または省略されるか、概略的に示されることがある。したがって、各構成要素の大きさは、実際の大きさを完全に反映することではない。本発明に関連する公知の機能または構成についての具体的な説明が、本発明の要旨を不要にぼやかすと判断される場合、その説明を略する。
【００２４】
本明細書において使用される「結合」または「連結（接続）」という用語は、一つの部材と他の部材とが直接結合するか、直接連結（接続）される場合のみならず、一つの部材が継ぎ部材を介して他の部材に間接的に接合するか、間接的に連結（接続）される場合をも含む。
【００２５】
図１は、本発明の一実施例によるバッテリーハウジングの全体斜視図であり、図２は、本発明の一実施例によるバッテリーハウジングにおいて、第１カバーと第２カバーとが分離した様子を示した部分斜視図である。
【００２６】
本発明の一実施例によるバッテリーハウジング１００は、バッテリーを収容するように設けられ、後述するように、バッテリーセル積層体２００が収容されるモジュールハウジングであってもよく、または、バッテリーモジュール１０が収容されるパックハウジングであってもよく、その他の多様な種類のバッテリーを含む各種ハウジングを全て含む概念として理解されるべきである。以下では、説明の便宜のために、バッテリーハウジング１００にバッテリーセル積層体２００が収容されたバッテリーモジュール１０の場合を中心にして説明するが、バッテリーハウジング１００の権利範囲がこれに限定されることではない。
【００２７】
バッテリーハウジング１００は、複数のカバーを含み、複数のカバーが相互結合してバッテリーセル積層体２００を収容する空間を形成する。即ち、複数のカバーが相互結合して形成された内部空間に、バッテリーセル積層体２００が収容され得、バッテリーセル積層体２００は、複数のカバーによって保護され得る。ここで、複数のカバーは、第１カバー１１０及び第２カバー１２０を含み得る。
【００２８】
バッテリーハウジング１００は、第１カバー１１０と、第２カバー１２０と、結合棒１３０と、を含み得る。
【００２９】
第１カバー１１０は、複数のカバーのいずれか一つの任意のカバーであって、多様な形状を有し得、図１及び図２を参照すれば、例えば、四角形の形状に形成され得る。但し、第１カバー１１０の形状がこれに限定されることではない。そして、第１カバー１１０は、多様な材質からなり得る。例えば、アルミニウムのような金属材質であり得、またはプラスチックのような多様な複合樹脂であり得る。
【００３０】
第２カバー１２０は、第１カバー１１０に隣接して配置され、第１カバー１１０に結合する。第２カバー１２０は、第１カバー１１０と同様に四角形の形状に形成され得、また、アルミニウムのような金属材質またはプラスチックのような多様な複合樹脂材質から製作され得るが、第２カバー１２０の形状と材質がこれに限定されることではない。
【００３１】
結合棒１３０は、第１カバー１１０と第２カバー１２０とを結合する。結合棒１３０が第１カバー１１０及び第２カバー１２０に結合する方式は、多様である。例えば、結合棒１３０に雄ねじ部または雌ねじ部が形成され、第１カバー１１０及び第２カバー１２０に、これに対応する雌ねじ部または雄ねじ部が形成され、相互結合し得る。または、第１カバー１１０及び第２カバー１２０に形成されたホールに結合棒１３０を締まりばめ方式で結合してもよい。または、粘着剤１４０（図４参照）を用いて結合棒１３０が第１カバー１１０及び第２カバー１２０に結合するようにしてもよい。ここで、粘着剤１４０は、同種の物質または他種の物質を相互付着させることができる各種物質を全て含み、接着剤を含む概念である。以下では、結合棒１３０が粘着剤１４０によって第１カバー１１０及び第２カバー１２０に結合する場合を中心にして説明する。
【００３２】
図２を参照すれば、第１カバー１１０には少なくとも一つの第１挿入孔１１２が形成され得、結合棒１３０の一端が第１カバー１１０の第１挿入孔１１２に挿入され得る。そして、結合棒１３０の一端は第１挿入孔１１２に挿入され、粘着剤１４０によって固定される。例えば、粘着剤１４０が第１挿入孔１１２に注入され、結合棒１３０の一端が第１挿入孔１１２に挿入され、粘着剤１４０が硬化して結合棒１３０の一端が第１カバー１１０に固定結合することも可能であり、または、粘着剤１４０が結合棒１３０に塗布された状態で結合棒１３０の一端が第１挿入孔１１２に挿入されて第１カバー１１０に固定されることも可能である。
【００３３】
そして、第２カバー１２０には、第１カバー１１０と同様に、少なくとも一つの第２挿入孔１２２が形成され得、結合棒１３０の他端が、第２カバー１２０の第２挿入孔１２２に挿入され得る。そして、結合棒１３０の他端は、第２挿入孔１２２に挿入され、粘着剤１４０によって固定される。例えば、粘着剤１４０が第２挿入孔１２２に注入され、結合棒１３０の他端が第２挿入孔１２２に挿入され、粘着剤１４０が硬化して結合棒１３０の他端が第２カバー１２０に固定結合することも可能であり、または、粘着剤１４０が結合棒１３０に塗布された状態で結合棒１３０の他端が第２挿入孔１２２に挿入されて第２カバー１２０に固定されることも可能である。粘着剤１４０は、第１挿入孔１１２及び第２挿入孔１２２に注入され得、また、第１カバー１１０及び第２カバー１２０の面に提供され、第１カバー１１０と第２カバー１２０とが付着されるように設けられ得る。
【００３４】
図２を参照すれば、第１カバー１１０には、据付け溝１１１が形成され得、据付け溝１１１には、第２カバー１２０が据え付けられ得る。このように第１カバー１１０に据付け溝１１１が形成され、第２カバー１２０が第１カバー１１０の据付け溝１１１に据え付けられれば、第１カバー１１０と第２カバー１２０とがより安定的に結合できる。ここで、第１挿入孔１１２は、据付け溝１１１の内部に形成され得る。
【００３５】
そして、第２カバー１２０には、端部から突出する突出部１２１が形成され得、第２カバー１２０の突出部１２１が第１カバー１１０の据付け溝１１１に据え付けられ得る。ここで、第２挿入孔１２２は、突出部１２１に形成され得る。
【００３６】
第２カバー１２０はエンドプレートを含み得、突出部１２１はエンドプレートから折り曲げられて形成され得る。第２カバー１２０のエンドプレートは平板形状であり、エンドプレートの両側端部からほぼ直角に折り曲げられることで突出部１２１が形成され得る。
【００３７】
図３〜図６は、本発明の一実施例によるバッテリーハウジングにおいて、第１カバーと第２カバーとが結合棒によって結合する過程を示した断面図である。
【００３８】
以下、図面を参照して本発明の一実施例によるバッテリーハウジング１００において、第１カバー１１０と第２カバー１２０とが結合棒１３０によって結合する過程について説明する。
【００３９】
図３は、バッテリーハウジング１００の一側端部、例えば、図１のＡ部分において、第１カバー１１０のみを示した断面図である。図３を参照すれば、第１カバー１１０には据付け溝１１１が形成され、第１カバー１１０の据付け溝１１１に４個の第１挿入孔１１２が形成されている。ここで、第１挿入孔１１２の個数は一例であるだけで、第１挿入孔１１２は一つ以上であり得る。図４を参照すれば、第１カバー１１０の４個の第１挿入孔１１２に粘着剤１４０が注入されている。そして、図５を参照すれば、４個の結合棒１３０の各々の一端が第１カバー１１０の４個の第１挿入孔１１２に各々挿入され、粘着剤１４０が硬化すれば、結合棒１３０の一端が第１挿入孔１１２に挿入されたまま、第１カバー１１０に固定される。そして、第２カバー１２０の４個の第２挿入孔１２２に粘着剤１４０が注入される。そして、図６を参照すれば、第２カバー１２０の突出部１２１が第１カバー１１０の据付け溝１１１に据え付けられて第１カバー１１０と安定的に連結される。この際、第２カバー１２０の突出部１２１に形成された第２挿入孔１２２に４個の結合棒１３０の各々の他端が挿入され、粘着剤１４０が硬化すれば、結合棒１３０の他端が第２挿入孔１２２に挿入されたまま第２カバー１２０に固定される。このような方式によって第１カバー１１０と第２カバー１２０との接合時に熱が発生しないため、ハウジングの内部に配置されたバッテリーセルまたは周辺部品の損傷を防止することができる。そして、第１カバー１１０及び第２カバー１２０の内部に挿入された結合棒１３０によって、第１カバー１１０と第２カバー１２０との結合剛性が増大する効果を奏する。一方、本実施例において、挿入孔１１２、１２２及び結合棒１３０の個数は多様に設定可能であり、図面に示したことに限定されない。
【００４０】
図７〜図１０は、本発明の他の実施例によるバッテリーハウジングにおいて第１カバーと第２カバーとが結合棒によって結合する過程を示した断面図である。
【００４１】
以下、図面を参照して本発明の他の実施例によるバッテリーハウジング１００の作用及び効果について説明するが、本発明の一実施例で説明した内容と共通する部分は前述の説明を代わりにする。
【００４２】
本発明の他の実施例の場合、第１挿入孔１１２または第２挿入孔１２２の各々に収容溝１１５または収容溝１２５が形成されるという点で一実施例と相違する。
【００４３】
図７〜図１０を参照すれば、第１挿入孔１１２には収容溝１１５が形成され、または、第２挿入孔１２２にも収容溝１２５が形成され得る。ここで、収容溝１１５または収容溝１２５の形状は多様である。例えば、図面のようにねじ山とねじ谷が繰り返される螺旋状に形成され得る。以下では、収容溝１１５または収容溝１２５がこのように螺旋状に形成された場合を中心にして説明する。
【００４４】
ここで、本発明の他の実施例の場合、例えば、第１挿入孔１１２のみに収容溝１１５が形成されるか、第２挿入孔１２２のみに収容溝１２５が形成されるか、または第１挿入孔１１２と第２挿入孔１２２との両方に各々収容溝１１５、１２５が形成されることも可能である。第１挿入孔１１２または第２挿入孔１２２に、収容溝１１５または収容溝１２５が形成されれば、収容溝１１５、１２５が形成されていない場合に比べて、粘着剤１４０が第１挿入孔１１２または第２挿入孔１２２に接触する面積が増大するので、全体的に粘着面積が増大し、これによって、第１カバー１１０または第２カバー１２０と結合棒１３０との結合力が増大する効果を奏する。
【００４５】
そして、結合棒１３０には、ねじ山とねじ谷とが繰り返される螺旋１３５を形成してもよく（図９及び図１０参照）、図５及び図６のように、結合棒１３０に螺旋１３５を形成しなくてもよい。もし、結合棒１３０に螺旋１３５が形成された場合であれば、結合棒１３０の螺旋１３５が、第１挿入孔１１２または第２挿入孔１２２に形成された螺旋状の収容溝１１５、１２５にねじ結合し、また、粘着剤１４０によっても結合棒１３０が結合するので、螺合及び粘着剤１４０の結合による二重結合で、第１カバー１１０または第２カバー１２０と結合棒１３０との結合力がさらに増大する効果を奏する。ここで、図９の収容溝１１５と、図１０の収容溝１１５、１２５には、粘着剤１４０が注入されている。そして、図示していないが、結合棒１３０に螺旋１３５が形成されていない場合でも、前述のように、第１挿入孔１１２または第２挿入孔１２２に収容溝１１５または収容溝１２５が形成されれば、収容溝１１５、１２５が形成されていない場合に比べて、粘着剤１４０が第１挿入孔１１２または第２挿入孔１２２に接触する面積が増大するので、全体的に粘着面積が増大し、これによって、第１カバー１１０または第２カバー１２０と結合棒１３０との結合力が増大する。
【００４６】
一方、図１を参照すれば、本発明の一実施例によるバッテリーモジュール１０は、前述のような本発明の一実施例によるバッテリーハウジング１００と、バッテリーハウジング１００に収容されるバッテリーセル積層体２００と、を含み得る。バッテリーセル積層体２００には、電極リードが備えられるバッテリーセルが複数設けられる。バッテリーセルに備えられる電極リードは、外部に露出して外部機器に連結される一種の端子として伝導性材質からなり得る。電極リードは、正極電極リード及び負極電極リードを含み得る。正極電極リードと負極電極リードとは、バッテリーセルの長手方向において相互反対方向に位置してもよく、または、正極電極リードと負極電極リードとがバッテリーセルの長手方向において相互同じ方向に位置してもよい。電極リードは、バスバーに電気的に接合し得る。バッテリーセルは、正極板／セパレーター／負極板の順に配列される単位セル（Ｕｎｉｔ  Ｃｅｌｌ）、または、正極板／セパレーター／負極板／セパレーター／正極板／セパレーター／負極板の順に配列されたバイセル（Ｂｉ−Ｃｅｌｌ）を電池容量に合わせて複数個を積層した構造を有し得る。
【００４７】
バッテリーセル積層体２００は、複数のバッテリーセルが相互積層されるように構成され得る。ここで、バッテリーセルは多様な構造を有し、また、複数のバッテリーセルは多様な方式で積層できる。
【００４８】
バッテリーセル積層体２００は、バッテリーセルを収納する複数のカートリッジ（図示せず）を備え得る。各々のカートリッジ（図示せず）は、プラスチックの射出成形によって製造でき、バッテリーセルを収納できる収納部が形成された複数のカートリッジ（図示せず）が積層され得る。複数のカートリッジ（図示せず）が積層されたカートリッジ組立体には、コネクター要素または端子要素が備えられ得る。コネクター要素は、例えば、バッテリーセルの電圧または温度に関わるデータを提供できるＢＭＳ（Ｂａｔｔｅｒｙ  Ｍａｎａｇｅｍｅｎｔ  Ｓｙｓｔｅｍ，図示せず）などに接続するための多様な形態の電気的接続部品または接続部材が含まれ得る。そして、端子要素は、バッテリーセルに接続するメイン端子として、正極端子および負極端子を含み、端子要素には、ターミナルボルトが備えられ、外部と電気的に接続し得る。一方、バッテリーセルは、多様な形状を有し得る。また、バッテリーセル積層体２００は、バッテリーセル同士が両面テープによって接着されて相互積層され得る。本発明の一実施例によるバッテリーモジュール１０に含まれたバッテリーハウジング１００は、バッテリーセル積層体２００を収容するモジュールハウジングの機能を有する。
【００４９】
一方、本発明の一実施例によるバッテリーパック（図示せず）は、バッテリーハウジングと、バッテリーハウジングに収容されるバッテリーモジュール１０と、を含み得る。また、前記バッテリーパック（図示せず）は、このようなバッテリーモジュール１０に加え、バッテリーモジュール１０の充放電を制御するための各種装置、例えば、ＢＭＳ、電流センサー、ヒューズなどをさらに含み得る。ここで、バッテリーパックに含まれたバッテリーハウジングは、バッテリーモジュール１０を収容するパックハウジングの機能を有する。
【００５０】
以上のように、本発明を限定された実施例と図面によって説明したが、本発明はこれに限定されるものではなく、本発明の属する技術分野で通常の知識を持つ者によって本発明の技術思想と特許請求の範囲の均等範囲内で多様な修正及び変形が可能であることは言うまでもない。
【産業上の利用可能性】
【００５１】
本発明は、バッテリーハウジング及びこれを含むバッテリーモジュールに関し、特に、二次電池関連産業に利用可能である。
【符号の説明】
【００５２】
１０  バッテリーモジュール
１００  バッテリーハウジング
１１０  第１カバー
１１１  据付け溝
１１２  第１挿入孔
１１５  収容溝
１２０  第２カバー
１２１  突出部
１２２  第２挿入孔
１２５  収容溝
１３０  結合棒
１３５  螺旋
１４０  粘着剤
２００  バッテリーセル積層体
【図１】
2020532059.tif 000003
【図２】
2020532059.tif 000004
【図３】
2020532059.tif 000005
【図４】
2020532059.tif 000006
【図５】
2020532059.tif 000007
【図６】
2020532059.tif 000008
【図７】
2020532059.tif 000009
【図８】
2020532059.tif 000010
【図９】
2020532059.tif 000011
【図１０】
2020532059.tif 000012
【国際調査報告】
2020532059.tif 000013
2020532059.tif 000014
2020532059.tif 000015
2020532059.tif 000016